(57)【特許請求の範囲】
【請求項１】
バーナ部の燃焼で発生した燃焼ガスを流通させて放熱する放熱器と、この放熱器内には放熱面となる前面側と、燃焼ガスの流入口と流出口を有する背面側とを仕切る横長板状の仕切板を備えたものに於いて、前記仕切板は、中央下端を一点スポット溶接し、左右上端を仕切板表面と複数の点で接触した左支持金具と右支持金具で支持され、更に前記仕切板表面と左右支持金具との間には、金網を設けて複数の点での接触を可能とした事を特徴とする暖房機。
【発明の詳細な説明】
【技術分野】
【０００１】
この発明はバーナ部の燃焼による燃焼ガスで放熱器を加熱して室内の暖房を行う暖房機に関するものである。
【背景技術】
【０００２】
従来よりこの種のものでは、放熱器内を前後に仕切る仕切板を備え、後方から放熱器内に流入する燃焼ガスを前面側に案内することで、放熱部分となる放熱器の前面側が強力に加熱され、前方への放熱が良好に行われるものであった。（例えば、特許文献１参照。）
【先行技術文献】
【特許文献】
【０００３】
【特許文献１】特開２００７−２９８１９４号公報
【発明の概要】
【発明が解決しようとする課題】
【０００４】
ところでこの従来のものでは、仕切板自体が強力に加熱されることで、燃焼時の熱膨張と消火時の収縮により、仕切板とこの仕切板を放熱器内で固定する固定金具との間で、膨張収縮が抑制されることいで「カンカン」と言う金属音が発生し極めて耳障りになる課題を有するものであった。
【課題を解決するための手段】
【０００５】
この発明はこの点に着目し上記課題を解決するため、特にその構成を、バーナ部の燃焼で発生した燃焼ガスを流通させて放熱する放熱器と、この放熱器内には放熱面となる前面側と、燃焼ガスの流入口と流出口を有する背面側とを仕切る横長板状の仕切板を備えたものに於いて、前記仕切板は、中央下端を一点スポット溶接し、左右上端を仕切板表面と複数の点で接触した左支持金具と右支持金具で支持され、更に前記仕切板表面と左右支持金具との間には、金網を設けて複数の点での接触を可能としたものである。
【発明の効果】
【０００７】
この発明によれば、横長板状の仕切板を３点で支持し、中央下端を一点スポット溶接して、左右上端を仕切板表面と複数の点で接触した左右支持金具で支持したことで、面接触とは異なり複数点接触となり接触面積が少なく、支持はするが伸縮の抑制は行われないので、「カンカン」音の発生を防止して静かで良好な暖房を得ることが出来、長期に渡って安心して使用出来るものである。
又仕切板表面と左右支持金具との間には、金網を設けて複数点接触としたので、極めて容易に複数点接触が可能となり、簡単な構成でありながら異音のしない良好な効果を得ることが出来るものである。
【図面の簡単な説明】
【０００９】
【図１】この発明の一実施形態の暖房機の斜視図。
【図２】同一部分解した斜視図。
【図３】同要部の一部切断斜視図。
【図４】同要部の他の一部切断斜視図。
【図５】同金網取り付け状態の仕切板の説明図。
【図６】同要部の熱膨張前の断面図。
【図７】同要部の熱膨張状態の断面図。
【発明を実施するための最良の形態】
【００１０】
次にこの発明に係る暖房機を図面に示された一実施形態に基づいて説明する。
１はバーナ部で、燃焼ファン２からの燃焼空気の供給及び、燃料供給手段（図示せず）からの燃料の供給を受けて、燃焼して燃焼ガスを生成するものである。
【００１１】
３はバーナ部１上に位置し、該バーナ部１と連通した角柱状の燃焼筒で、上方には扁平最中状の放熱器４が連通している。
この放熱器４の背面側はやや外方に突出した形状で、この正面側の向かって下側に燃焼ガスの流入口５を有し、向かって右側には流出口６が設けられている。
【００１２】
７は放熱器４内を前後に仕切るように中央に備えられた横長板状の仕切板で、向かって右側の流入口５側を密の直径５ｍｍの小穴８を複数ここでは４５個形成し、左側の流出口６側には直径４．５ｍｍの小穴９を粗に５４個形成して、流入口５側では流入してくる燃焼ガスを積極的に前方へ流入させて、放熱器４前面を加熱して遠赤の放熱量を増大させるようにし、流出口６側では前方へ流出した燃焼ガスが後方へ逃げず逆に前方へ流出するようにしているものである。
【００１３】
又前記仕切板７は放熱器４内で３点支持されており、中央下端の一点スポット溶接１０で固定し、正面から見て向かって左端上端及び右端上端には、３３メッシュ、線径φ０．２９、材質がカンタルＡＦからなる金網１１をそれぞれ折り返して背面上端まで覆ってスポット溶接で固定され、そして、この２つの金網１１の上から通常時は接触せず、加熱による熱膨張時のみ金網１１の編み込みの交差部分と複数の点接触するように左右支持金具１２、１３で支持されるものであり、この左支持金具１２の他端は放熱器４内で仕切板７の側方に溶接固定され、右支持金具１３の他端は放熱器４内で仕切板７の上方に溶接固定されているものである。
【００１４】
一方放熱器４の前面側には、遠赤塗料が塗布されて遠赤外線を放射すると共に、補強用に複数本のビード１４が形成されている。
【００１５】
１５は放熱器４を通過後の燃焼ガスが流通する熱交換器で、放熱器４背面に位置し複数本のパイプを並設して構成され、放熱器４を加熱後の燃焼ガスを流通させることにより、対流ファン（図示せず）の駆動による送風を熱交換で温風として室内に放出するものである。
【００１６】
１６は燃焼筒３の正面に形成された大きな覗き窓で、バーナ部１の燃焼により形成される青い炎が見られるようにしたものである。
１７は器具本体１８の正面上部に備えられた操作部、１９は操作部１７の操作内容や運転状態を表示する表示部、２０は器具本体１８正面を覆ったガード体である。
【００１７】
次にこの一実施形態の作動について説明すれば、今バーナ部１の燃焼で発生した燃焼ガスが、燃焼筒３から流入口５を通り放熱器４に流入し、ここで燃焼ガスは仕切板７自身に邪魔されるが、流入口５と対向する位置には複数の小穴８、９が形成されているので、この小穴８、９を通り一部の燃焼ガスは放熱器４内前面に流通して該前面を加熱することにより、放熱器４から遠赤外線を放射させて良好な暖房を行うものである。
【００１８】
一方放熱器４を加熱後に仕切板７一側方の小穴９を通過した燃焼ガス及び、流入口５から流入し小穴８、９を通過しなかった燃焼ガスは、放熱器４一側方の流出口６から熱交換器１５に流入し、対流ファン（図示せず）からの室内空気の送風を熱交換で温風として室内を温風暖房するものである。
【００１９】
前記仕切板７は、放熱器４内前面への大量の燃焼ガスの流通を抑制し、且つ調整して赤熱を防止しながら遠赤外線を良好に放出させる為のもので、流入口５と対向する部分の小穴８を密に形成し、そこから離れると粗になるように小穴９を形成したことで、放熱器４前面の過熱による赤熱を防止して使用者に不安感を与えないようにしているものである。
【００２０】
更に仕切板７は加熱されることで熱膨張して図７に示すように、左右支持金具１２、１３に接触しようとするが、この左右支持金具１２、１３と対向する仕切板７の表面には金網１１が設けられているので、左右支持金具１２、１３はそれぞれの金網１１の交差部分と複数の点接触し、従来のように面接触で膨張を抑制することがないので、「カンカン」音を防止することが出来、又仕切板７の冷却による収縮の時も複数の点接触による支持のため、抑制力は弱く「カンカン」音の発生は防止出来、使用者に不安感を与えることがなく安心して使用出来るものである。
【００２１】
又仕切板７は高さ方向の中央部から前方へ向かって「く」の字に屈曲されており、大きな熱が加えられても変形しないように強度を持たせているものであり、この点からも変形や焼損が阻止され、長期に渡って燃焼ガスの案内を良好に行うことが出来るものである。
【００２２】
尚、ここで仕切板７は下端が一点スポット溶接１０されていることから、熱膨張で上方へ約２ｍｍ伸びて上記のように左右支持金具１２、１３と接触するものである。
又複数の点で接触するものとして、金網１１の他に、仕切板７或いは左右支持金具１２、１３のそれぞれの接触する部分に複数の突起を形成するようにしても良いものである。
【符号の説明】
【００２３】
１  バーナ部
４  放熱器
５  流入口
６  流出口
７  仕切板
８、９  小穴
１０  一点スポット溶接
１２、１３  左右支持金具
【図１】
0005634908.tif 000002
【図２】
0005634908.tif 000003
【図３】
0005634908.tif 000004
【図４】
0005634908.tif 000005
【図５】
0005634908.tif 000006
【図６】
0005634908.tif 000007
【図７】
0005634908.tif 000008